(57)【要約】【課題】  豆タンの材料となる無煙炭の特徴的な資質を応用して、身体の各部の保護の為の電磁波防止装着用具及び電磁波防止水溶液の製造方法を提供する。【解決手段】  無煙炭の資質をいかに応用するか、豆タンをいかに活用するか、豆タンを併用する材料を選択して電磁波防止装着用具を作ったり、また豆タン水１７５０ｃｃを作り、不純物を、濾過して取り除き、それを無煙炭の溶解温度８０度強まで加熱し、冷却して上澄みのねずみ色の水溶液に腐臭防止にエタノールを５０ｃｃ加えて基準濃度の分量１５００ｃｃの水溶液を、綿加工繊維に噴霧したり、壁面、車内に噴霧したり、容器の内へ入れて厚みのあるカーテン、マット類、衣類等を浸して乾燥仕上げをする電磁波防止水溶液の製造方法。【選択図】図１
2007308852.tif 000002
【特許請求の範囲】
【請求項１】
豆タンを細かく砕き粉末にして、水を加えて粘土状にして、さらに軟化材を加えて柔らかく固まらないようにして、帽子の頭部の円形をサイズ別、靴底もサイズ別、背あて、胸あては横２０ｃｍ、縦１８ｃｍの長方形を、それぞれ防水性も保護できるソフトな粘着紙の片面に薄く平均にのばし厚さ３〜４ｍｍの成型をし、さらに成型した上に防水性も保護できるソフトな粘着紙を覆い、中身がにじまないように軟化性の塩化樹脂ビニールで両面を覆い、さらに吸湿性のある綿布に糊をつけて両面に貼って仕上げる電磁波防止装着用具。
【請求項２】
豆タン２個に対して、水１７５０ｃｃで、先ず豆タン２個を砕き、水１７５０ｃｃを混ぜ不純物を濾過して、できた豆タン水を溶解温度の８０度強まで加熱し、無煙炭の溶解温度は（約７５度〜８０度）で火を止め冷却して、上澄みのねずみ色の無臭の水溶液基準濃度のでき上がり分量は、１４５０ｃｃで、エタノールを５０ｃｃ加えて１５００ｃｃの水溶液を利用して、綿繊維の衣類や厚みのあるカーテン、マット類、スカーフ、サポーター、室内の壁面に噴霧したり、綿製の厚みのあるカーテン、マット類、衣類などの大きなものには、水溶液を容器の内に入れ、その中に長時間（約１週間）浸し、加減を見ながら浸したものを、乾燥仕上げをする電磁波防止水溶液の製造方法。
【発明の詳細な説明】
【技術分野】
【０００１】  本発明は、豆タンの材料になる無煙炭の特徴的な資質を応用した、身体の保護のための、電磁波防止装着用具及び電磁波防止水溶液の製造方法に関するものである。
【背景技術】
【０００２】  従来、豆タンは燃料として利用されている。【０００３】  現在、耐熱ガラス、また電磁波による機能搭載電器機のシールド硝子には、チタン鋼を材料とした耐熱ガラスが利用されている。【０００４】  シールド硝子とは、使用中の電器機から発生する電磁波が漏れなどの影響を防御するための遮へい効果のためのものである。
炭素化したチタン鋼を砕き粉にして、硝子材料と混ぜて製造されている。【０００５】  チタン鋼の粉と、他の金属の粉を混ぜ合わせて製造されたものがチタン合金である。
ブレスレッド、ネックレス、蓄電器や医療用の金具にも利用されている。
【発明の開示】
【発明が解決しようとする課題】
【０００６】  そのチタン鋼の資質を用いて、炭素度の進んだ無煙炭の粉を原料とした豆タンを材料として、燃料以外にも幅広く利用するためのものである。【０００７】  無煙炭の資質をいかに応用し、活用するか、併用する材料を選択して用具を作ったり、又豆タンを砕き、水を混ぜ不純物を濾過して取り除き、溶解温度に加熱し、冷却して、腐臭を防止するためにアルコールを、上澄みの水溶液に加えて、水溶液を作るなど工夫をして、電磁波の影響を防御する遮へい目的のために利用するものである。【０００８】  現代社会では、万人が認める電気製品の普及、また電磁波の多量発生の原因ともなる携帯電話、インターネットと先端的な科学的技術の通信機器が生活必需品となり、顧客のニーズに応じるように、電磁波の鉄塔基地局から高周波増幅の放電があったとしても、目には見えないので、人体への悪因の影響が懸念され、先進国、また世界的規模で問題になっている。
インターネット上にも危惧する記事が記載されている。【０００９】  電磁波の人体へ及ぼす不快感、また感じ方は個人的に差があるようだが、とくに基地局から３００ｍ内に居住する者や、エリアに居住する者への影響は免れない。
身体各部へ深く浸透し、頭部、内臓器、手足の関節、腰など、健康を損なう電磁波から身体を、屋内、屋外でもできる限りの範囲で遮へいをし、原因不明の症状から守るためである。【００１０】  放電した電磁波が身体に蓄積されて、異質の電磁波が合流すると、たとえばコンビニストアのコピー機、電磁波の多量発生源にもなる大型店舗内、その中にある子供の遊具のゲーム機、最新式のデジカメ写真館など、利用したり、近くにいるだけで関節の痛み、動悸が激しくなったり、睡眠不足の原因になる。
電磁波が粘膜に刺激して、のどはカラカラになったり、また大腸が過敏になり排泄も近くなる。【００１１】  毎年受けている総合検診で、胃癌、肺癌、心電図のレントゲン撮影の医療機も電磁波の働きによる。
電波塔が居住地から、１００ｍ内の距離に設置された、約８ヵ月後に、ちゅうちょして、肺癌と心電図の検診を受けたが、いつもの年よりも疲れを感じた。
睡眠もできなかった。【００１２】  受話器は、話している間に耳の穴に電磁波の影響を受けて痛くなるが、医療機の電磁波で熱を感じる赤外線の他は、身体に感じることはないが、異質の電磁波が合流すると、医療機も体内に異変は起きる【００１３】  着用する衣服の化学繊維と電磁波が合流すると静電気が発生し、皮膚にかゆみが症じる。
また、身につけている装身具、付属の金属が電磁波と合流すると、身体の金属の接触している個所に痛みが発生する原因ともなる。
たとえば、ブラジャーの止メ金の当る背中である。【００１４】  高周波増幅の放電があったとしても、目には見えない。
人体、家畜、鉄筋ビル、木造家屋、電器機類、地面にも深く浸透し、その弊害を退けるための遮へいを意図するものである。【００１５】  身近な現状では、使用時、何のアクシデントもないのに、テレビの映像の不具合、デジカメの映写の不具合が、ほぼ同じ時期に起きた。
故障ではなく電波塔の周波数が一段と高くなってテレビやデジカメの対応周波数が製造されたときの設定が低い部品が取り付けられていて、機能が作動しきれなくなっている可能性もあるが消費者にはわからない。
購入時と居住地の変更もない。
部品の故障ならば、メーカーも購入期も製造期も異なるのに、なぜ同じ時期に不具合が起きるのか疑問は残るが、身体が電波塔が設置されたころと、現在とでは電磁波が非常に強くなっていることを感じている。
体が痛い程感じ、睡眠もできないほどである。
遮へいのレベルアップを感じた。
どうしてもデジカメを利用する必要性もあり、不具合をメーカーに電話で説明をし、メディアとデジカメの本体を送れということで、購入日から１年間の保証書と「商品や商品の説明書に対応周波数の記載義務を求める要望」を書き、手紙もつけて送った。
購入日から、約３年経過していた。
液晶モニターの故障、ＣＣＤ回路が正常に作動していないということで、ＣＣＤ基板の交換で、修理して６ヵ月以内に、また同じ個所の故障で個人的な扱いのための故障でない場合は、メーカーの責任で修理すると保証はあるが、要望を求めたことについての記載はなかった。【００１６】  メディアは、現在の居住地周辺と、何日か滞在した横浜方面の高圧電線の周辺を撮って送った。
映写の不具合のレベルは居住地と余り変らなかった。
高圧電線の近くで、遮へいを施した住宅があった。
カメラメーカーがすんなりと部品の交換ができたことは、どの場所においても周波数のレベルは同じ位だと判断したが、この居住地は、電波塔１本に対して、高圧電線は間隔等しく何本も建っていた。
電磁波の感じ方は、無線電波塔は居住地から斜め上にあるので、上から強さを感じるが高圧電線は地下から強さを感じた。
高圧電線は、線があるだけに日が過つにつれて、昼間の生活では電波塔よりも電磁波は感じなくなったが、夜半に動悸が激しくなるのを覚えた。【００１７】  電磁波は目に見えないし、身体に異状をきたす不具合が人体に発生したとしても、異口同音「電磁波の影響とは限らない」のことば。【００１８】  都会に出ている家族が、電波塔が設置されて初めての帰省をし、何日か滞在して居住地に戻って１０日程して肺に穴が開いた。
主治医にも電波塔のことも話したが、病院でも電磁波による医療機も利用しているし、医者も事態を理解しにくいし、人体と電磁波のメカニズムはわからない。【００１９】  無線電波塔を設置した通信事業社と住民とが、設置された電波塔についての話し合いがあったが、通信事業社は総務省認可というだけで、出力周波数の掲示もない。
今も居住地住民のプロジェクトチームと通信事業社が話し合い継続中である。【００２０】  高圧電線、無線電波塔の基地局に出力周波数の掲示義務や、電気製品、ハイテク電器機類にも対応周波数の記載義務があってもよいと思うが、現状では難かしいようだし、増々通信網が必需性となっている現在、高周波増幅による放電がどこまで進むのか、目には見えないし検討もつかない。
また改善される糸口も見えないのが実状である。
このまま放置していれば身体もついていかない。
遮へいの必要性が求められる。【００２１】  昨今では、企業においても先端技術が求められている。
当然、利潤のあがる高性能な最先端の電機器類の設備が整えられる。
我々の考えの及ばない先端科学の進歩、発展にともない速度と利便性に慣らされてしまっているが、人間の命の尊厳は失われつつある。
科学にも不可思議な疑問をもち、人体の安全に過敏になり、身を守る考えを持つことが先決である。
原動力は労働者であり、人間の存在なくしては全てが成りたたない。
また立場を変えれば消費者であり、身体の安全が優先である。
物質と利潤を優先すれば人類の存続も難かしくなる。【００２２】  目には見えない電磁波なので、通信事業社も地球に優しい。
人に優しい理念で投機的ではなく、道徳と功利とがバランスのとれる精神を理想として運営をめざして欲しい。【００２３】  情報化社会の現代では、先端科学の技術の通信網、娯楽を受け入れ電化生活をしていく上で、これから増々電磁波の影響を受け入れる環境にある。
今までの安住本能から脱して、１人ひとりが感覚と知性を働かせ、各個人が「自分の身体は自分で守る」の自己保身の意識を持つことが必要だと思う。
状況の変化に適応していくために、自分自身で危機管理をする積極的な生き方が問われる時代でもある。
電磁波は身体の不具合な個所に、即、影響する。
医者の診断をあおり薬づけになったり、ドクターショッピングにならないために、セルフコントロールする必要がある。【００２４】  荻野晃也（理学博士）の講演を拝聴する機会があった。
遮へいをするには、１００万円単位でいるという。
先端科学の発展による通信網である。
その機器類が安価で利用できても、身体の不具合や遮へいに高価な金額を支出するとなれば割に合わない。
万人が手軽るに電磁波防止が出来る方法を選択するのが望ましい。【００２５】  本発明は、これらの問題点を解決するためになされたものである。
【課題を解決するための手段】
【００２６】  豆タンを細かく砕き粉末にして、水を加えて粘土状にして、さらに軟化材を加えて柔らかく固まらないようにして、帽子の頭部の円形をサイズ別、靴ぞこもサイズ別、背あて、胸あては横２０ｃｍ、縦１８ｃｍの長方形を、それぞれ防水性も保護できるソフトな粘着紙の片面に、薄く平均にのばし厚さ３〜４ｍｍの成型をし、さらに成型をした上に防水性も保護できるソフトな粘着紙を覆い、中身がにじまないように薄い軟化性の塩化樹脂ビニールで両面を覆い、さらに吸湿性のある粘着綿付で覆い仕上げる電磁波の影響を防御する遮へいのための電磁波防止装着用具である。【００２７】  豆タン２個に対して、水１７５０ｃｃで、先ず豆タン２個を砕き、水１７５０ｃｃを混ぜ不純物を濾過して、できた豆タン水を溶解温度の８０度強まで加熱し、無煙炭の溶解温度は（約７５度〜８０度）で火を止め冷却して、上澄みの、ねずみ色の無臭の水溶液基準濃度の出来上がり分量は、１４５０ｃｃで、エタノールを５０ｃｃ加えて１５００ｃｃの水溶液を容器に入れて、綿加工繊維のＴシャツ、肌着、スカーフ、手足の関節用のサポーター、腰のサポーター、帽子など、また室内の壁面やカーテンに軽く噴霧したり、綿製の厚みのあるカーテン、布団カバー、マット類や衣類を、大きなものに水溶液を容器の内へ入れ、その中に長時間（約１週間）浸し、加減を見ながら浸したものを、乾燥仕上げをする電磁波防止水溶液の製造方法である。【００２８】  過敏な者は、電磁波の不快さは免れないし、体内に蓄積された電磁波と異質の電磁波が体内で合流すると、トラブルをキャッチし体内に異変を感じる。
気付かない内に電磁波による睡眠不足、耳なり、頭痛、関節痛、動悸、肩こりに似た症状、高血圧、のどのカラカラ、原因不明の症状を未然に防ぐセルフコントロールするためのものである。
これから増々必要不可決である。
【発明を実施する最良の形態】
【００２９】  以下、本発明の実施形態を説明する。
【実施例１】
【００３０】（イ）上半身保護の為の背あて（６）、胸あて（７）の大きさは横２０ｃｍ、縦１８ｃｍの長方形とし、厚さ３〜４ｍｍに成型し、防水性も保護できるソフトな粘着紙の当部材（１）の片面全面に、豆炭を砕き粉末にして水を加えて粘土状にして、更に軟化材を加えて柔らかくした豆炭部材（２）を設ける。
その上に防水性も保護できるソフトな粘着紙の当部材（１）を覆う。
中身がにじまないために薄い軟化性の塩化樹脂ビニールの被い部材（３）を両面に覆い、柔軟仕上げにしてさらに吸湿性のよい糊を付けた布（４）を両面に貼り付ける。
一方の布（４）の片面は剥離紙（５）を設ける。
（ロ）本発明を使用するときは、肌着やＴシャツなど金属の付属のないシンプルな衣類を選び肌に触れる内側に、背あて（６）胸あて（７）を貼る。
電磁波は前、後からも当たるので、片方だけではなく同時に使用する。
（ハ）貼った上にも重ね貼りも可能である。
（ニ）はがさなければ何度でも使用可能である。
（ホ）間節用のサポーターの内側にも利用できる。
【実施例２】
【００３１】（イ）靴ぞこはサイズ別に成型仕上げをする。
厚さは３〜４ｍｍに成型し、先ず防水性も保護できるソフトな粘着紙の当部材（１）の片面全面に、豆炭を砕き粉末にして水を加えて粘土状にして、さらに軟化材を加えて柔らかくした豆炭部材（２）を設ける。
その上に防水性も保護できるソフトな粘着紙の当部材（１）を覆う。
中身がにじまないために薄い軟化性の塩化樹脂ビニールの被い部材（３）を両面に覆い柔軟仕上げにして、さらに吸湿性のよい糊をつけた布（４）を両面に貼りつける。
一方の布（４）の片面は剥離紙（５）を設ける。
（ロ）本発明を使用するときは、従来の塩化ビニール製、スポンジゴム製の靴ぞこの下に貼って利用する。
（ハ）スリッパの上に貼るのも可能である。
（ニ）はがさなければ何度でも使用可能である。
【実施例３】
【００３２】（イ）頭部の保護のための帽子用の円形はサイズ別に成型仕上げをする。
厚さは３〜４ｍｍで帽子をかぶったとき、頭部のまわりをおおうように内側にゆるみを持たせるために、サイズ別の帽子の円よりも約１〜１．５ｃｍ大きめの原型にする。
防水性も保護できるソフトな粘着紙の当部材（１）の片面全面に、豆炭を砕き粉末にして水を加えて粘土状にして、さらに軟化材を加えて柔らかくした豆炭部材（２）を設ける。
その上に防水性も保護できるソフトな粘着紙の当部材（１）を覆う。
中身がにじまないために薄い軟化性の塩化樹脂ビニールの被い部材（３）を両面に覆い柔軟仕上げにして、さらに吸湿性のよい糊をつけた布（４）を両面に貼りつける。
一方の布（４）の片面は剥離紙（５）を設ける。
（ロ）頭部に当る円形の内側に貼って使用する。
（ハ）再度利用可能である。
（ニ）その上に貼るのも可能である。
【実施例４】
【００３３】（イ）豆タン２個に対して水１７５０ｃｃでできた上澄みの無煙炭の基本温度の水溶液の分量は１４５０ｃｃで、腐臭を防ぐために、エタノールを５０ｃｃ加え１５００ｃｃの、ねずみ色の無臭である。
綿加工繊維（１４）の分量に応じて必要な水溶液（１３）の分量は、基本濃度の水溶液の豆タンと水の量、エタノールで割り出し、無煙炭の水溶液（１３）を製造し、容器（１２）を設ける。
水溶液（１３）も容器（１２）が整えば、容器（１２）に水溶液（１３）を入れ、綿加工繊維（１４）をその中に入れて浸しフタ（１５）をすることで、空気（１１）の圧力がフタ（１５）の上にから全体にかかる。
約１週間をめやすとして加減を見ながらフタ（１５）を開け、綿加工繊維（１４）を出して乾燥させる電磁波防止水溶液の製造方法である。
（ロ）パスカルの原理の「フタをした容器の内に、空気の圧力が密ぺいされた液体のいたる所まで、同じ大きさの圧力が伝わる」を応用したものである。
（ハ）本発明を使用するときは、塩化ビニールの袋の内へ水溶液（１３）を入れ、綿加工繊維（１４）を浸すことも可能である。
（ニ）ビニール手袋、マスクをして作業をする。
（ホ）化学繊維は、使用しない。
（ヘ）カーテン、マット類は厚みのある綿製のものがよい。
【実施例５】
【００３４】（イ）豆タン２個に対して水１７５０ｃｃでできた上澄みの水溶液の分量は１４５０ｃｃで腐臭を防ぐためにエタノールを５０ｃｃ加え１５００ｃｃの、ねずみ色の無臭である。
先ず水溶液（１３）を入れる容器（１２）を準備し、その容器（１２）には、レバー（１７）、先端ノズル（２０）、末広ノズル（２１）、ビニール管（２２）で構成される栓（１６）が付いている。
水溶液（１３）を噴霧する噴霧器である。
（ロ）本発明を使用するときは、先ず基本濃度の無煙炭の水溶液（１３）を容器（１２）に適量を入れて、各部の働らきをする構成された栓（１６）をしっかりとしめ、水溶液（１３）や空気（１１）が漏れないようにする。
片手（１９）で噴霧器の上部と、指先（１８）とでレバー（１７）をはさむように持ち、軽くレバー（１７）を容器（１２）の矢印の方向へひくことで、空気（１１）が先端ノズル（２０）に入ることで圧縮されたエネルギーになり、末広ノズル（２１）で速度エネルギーに変化し、ビニール管（２２）から放出されて、容器（１２）の壁表面にぶつかったりして水溶液（１３）が水蒸気、または霧状になって先端ノズル（２０）に噴出される。
この工程を繰り返して綿加工繊維（１４）の衣類、カーテン、マット類、サポーター、帽子に、また壁面に手軽るに噴霧できる。
（ハ）ボイルの法則を応用したもので、容器の内の空気の体積は空気のおす力に反比例し、引っぱられる力に正比例する。
圧力が大きくなれば体積が小さくなり、圧力が小さくなると体積が大きくなる。
これは容器の内の水溶液の量と空気の圧力の関わりで、レバー（１７）を押したり、自然に戻ったりして空気（１１）の押す力と戻る力を応用したものである。
（ニ）衣類に噴霧する時は、２０ｃｍ離して均一に噴霧する。
（ホ）綿繊維のカーテン、マット類、室内の壁面、気になる個所に噴霧するときは窓を開けて通気性をよくする。
再度充分噴霧する。
（ヘ）衣類など表面に噴霧して露などで色移りの心配のあるときは、目立たない部分に試してから裏に噴霧する。
（ト）携帯用にして、出掛けた先でも利用できる。
（チ）手あれの心配のあるときは手袋する。
また、マスクをする。
（リ）自動車内にも乗車する前に噴霧する。
（ヌ）化学繊維の衣類は、充分柔軟液に浸し、乾燥したものには使用できる。
衣類の裏側に噴霧する。
【図面の簡単な説明】
【００３５】
【図１】  本発明の斜視図
【図２】  本発明の使用状態を示した側面図である。
【図３】  本発明の使用状態を示した側面図である。
【図４】  本発明の使用状態を示した側面図である。
【図５】  本発明の使用状態を示した側面図である。
【図６】  本発明の使用状態を示した斜視図である。
【図７】  本発明の使用状態を示した斜視図である。
【図８】  本発明の使用状態を示した斜視図である。
【図９】  本発明の使用状態を示した斜視図である。
【付号の説明】
【００３６】      １  当部材
２  豆タン
３  塩化ビニール
４  布
５  剥離紙
６  背あて
７  胸あて
８  縫しろ
９  身頃の裏
１０  身頃の表
１１  空気
１２  容器
１３  水溶液
１４  綿加工繊維
１５  フタ
１６  栓
１７  レバー
１８  指先
１９  片手
２０  先端ノズル
２１  末広ノズル
２２  ビニール管
【図１】
2007308852.tif 000003
【図２】
2007308852.tif 000004
【図３】
2007308852.tif 000005
【図４】
2007308852.tif 000006
【図５】
2007308852.tif 000007
【図６】
2007308852.tif 000008
【図７】
2007308852.tif 000009
【図８】
2007308852.tif 000010
【図９】
2007308852.tif 000011